(57)【要約】      （修正有）【課題】頭髪密度が少ない人であっても、頭髪の自然なボリューム感を擬似的に醸し出すことが可能な簡易カツラを提供する。【解決手段】ヘアバンド２の周縁に頭髪に見える色彩を有する布製の疑似頭髪カバー３を連結し、疑似頭髪カバー３の内側に設けられた頭髪のボリュームを出すためのパッド４の前端のみをヘアバンド２近傍に連結して構成する。又、前記似頭髪カバー３は、三角形状であり、前記ヘアバンド２に連結される一辺の両端に位置する二つの角部の夫々において、隣り合う辺と辺とを縫い合わせて二つの紐部を縫成し、該二つの紐部を互いに結ぶことができるようにした。【選択図】図２
0003146513.tif 000002
【実用新案登録請求の範囲】
【請求項１】
ヘアバンドの周縁に頭髪に見える色彩を有する布製の疑似頭髪カバーを連結し、
更に、疑似頭髪カバーの内側に設けられた頭髪のボリュームを出すためのパッドの前端のみをヘアバンド近傍に連結して構成した、簡易カツラ。
【請求項２】
前記疑似頭髪カバーは、三角形状であり、
前記ヘアバンドに連結される一辺の両端に位置する二つの角部の夫々において、隣り合う辺と辺とを縫い合わせて二つの紐部を縫成し、該二つの紐部を互いに結ぶことができるようにした、請求項１に記載の簡易カツラ。
【請求項３】
前記疑似頭髪カバーの三角形状の三つの前記角部のうち、前記紐部を縫成しない一つの角部を挟む二辺を互いに近づける方向に縫い縮めたギャザーを設けた、請求項２に記載の簡易カツラ。
【請求項４】
前記疑似頭髪カバーに前記ヘアバンドを脱着可能にするためのポケット部を設けた、請求項１から請求項３の何れかに記載の簡易カツラ。
【請求項５】
前記パッドは、内部の詰物を交換可能にした、請求項１から請求項４の何れかに記載の簡易カツラ。
【請求項６】
前記パッドの前記詰物として、綿又はメッシュ材を適用した、請求項５に記載の簡易カツラ。
【考案の詳細な説明】
【技術分野】
【０００１】
本考案は、突然な来客時等に即座に着用できる簡易カツラに関するものである。
【背景技術】
【０００２】
頭髪密度が少ない人や、抗がん剤の使用等で頭髪が抜ける症状を患っている人などは、バンダナやスカ−フ、三角巾やタオル、またはタ−バンや鉢巻等の布を頭部に巻いたり被ったりして、その頭部の体裁を整えることがあるが、最近では、着用し易いようにするべく、図９に示すようなものが存在している。
【０００３】
すなわち、合成樹脂等からなる弾力性を有するア−チ状のヘアバンド（a）に、三角形の形状をした布（b）の底辺部を巻き付けると共に、スナップ等の留具で留めて構成したものである。このように構成することで、即座に頭部に着用することができ、また脱ぐ時も容易となる。
【特許文献１】特開２００６−２９１４３０
【考案の開示】
【考案が解決しようとする課題】
【０００４】
しかしながら、上記従来のものでは、薄い布（b）が頭髪上に直接接触するものであるから、頭髪密度が少ない人等、頭髪のボリュームの貧弱さが如実に現れることになり、外観上の問題があった。
【０００５】
本考案はかかる点に鑑みて成されたもので、頭髪密度が少ない人であっても、頭髪の自然なボリューム感を擬似的に醸し出すことが可能な簡易カツラを提供することを課題とする。
【課題を解決するための手段】
【０００６】
[請求項１に係る考案]
上記課題を解決するための本考案の解決手段は、
『ヘアバンドの周縁に頭髪に見える色彩を有する布製の疑似頭髪カバーを連結し、
更に、疑似頭髪カバーの内側に設けられた頭髪のボリュームを出すためのパッドの前端のみをヘアバンド近傍に連結して構成した』ことである。
【０００７】
上記解決手段によれば、布製の前記疑似頭髪カバーが頭髪に見える色彩を有するため、着用者の頭部外観が頭髪風となる。尚、頭髪に見える色彩を有する布であれば、多少の模様が施されていてもよい。
【０００８】
また、前記疑似頭髪カバーの内側に設けられた前記パッドにより、頭部の外観は、パッドを設けない従来の被り物と比べてボリュームアップされたものとなる。
【０００９】
さらに、前記パッドの前端のみを前記ヘアバンド近傍に連結しているので、パッドの全周を布製の疑似頭髪カバーに縫製する場合のように擬似頭髪カバーの立体形状がパッドで拘束されて不自然になることがない。従って、疑似頭髪カバーが自由に波打った立体形状になって自然感が担保できる。又、パッドの前端以外は固定されておらず自由状態にあるから、パッドの形状を変形したり、また折り畳んだりすることができる。
【００１０】
[請求項２に係る考案]
請求項１に係る考案に於いて、
『前記疑似頭髪カバーは、三角形状であり、
前記ヘアバンドに連結される一辺の両端に位置する二つの角部の夫々において、隣り合う辺と辺とを縫い合わせて二つの紐部を縫成し、該二つの紐部を互いに結ぶことができるようにした』ものでは、頭部周囲にこれらの紐部を巻き付けると共に、後頭部などにおいて結びつけるようにすることができる。
【００１１】
[請求項３に係る考案]
請求項２に係る考案に於いて、
『前記疑似頭髪カバーの三角形状の三つの前記角部のうち、前記紐部を縫成しない一つの角部を挟む二辺を互いに近づける方向に縫い縮めたギャザーを設けた』ものでは、ギャザーを設けることにより、前記一つの角部を挟む二辺を互いに近づける方向に縫い縮めたから、疑似頭髪カバーが頭部の膨らみに沿った形状となる。
【００１２】
[請求項４に係る考案]
請求項１から３の何れかに係る考案に於いて、
『前記疑似頭髪カバーに前記ヘアバンドを脱着可能にするためのポケット部を設けた』ものとすることができる。
【００１３】
[請求項５に係る考案]
請求項１から４の何れかに係る考案に於いて、
『前記パッドは、内部の詰物を交換可能にした』ものとすることができる。
【００１４】
[請求項６に係る考案]
請求項５に係る考案に於いて、
『前記パッドの前記詰物として、綿又はメッシュ材を適用した』ものとすることができる。
【考案の効果】
【００１５】
本考案は次の特有の効果を有する。
請求項１に係る考案では、
【００１６】
前記疑似頭髪カバーの内側に前記パッドが設けられているから、頭部の外観は、パッドを設けない従来の被り物と比べてボリュームアップされたものとなり、頭髪密度が少ない人であっても、パッドが設けられていなかった従来のものに比べて、頭髪の自然なボリューム感を擬似的に醸し出すことができる。
【００１７】
又、前記パッドの前端のみを前記ヘアバンド近傍に連結しているから、パッドの全周を布製の疑似頭髪カバーに縫製する場合のように擬似頭髪カバーの立体形状がパッドで拘束されて不自然になることがない。従って、疑似頭髪カバーが自由に波打った立体形状になって自然感が担保できると共に、パッドの形状を変形したり、また折り畳んだりすることができ、前記疑似頭髪カバーの外観のボリュームや形状を任意に変更できる。
【００１８】
請求項２に係る考案では、
前記疑似頭髪カバーに前記各紐部を縫成して、頭部周囲にこれらの紐部を巻き付けると共に、後頭部などにおいて結びつけることができるので、頭部の大きさに個人差があってもこれに対応することができ、然も、しっかりと頭部に固定することができる。これにより、不意に離脱する心配が少ない。
【００１９】
請求項３に係る考案では、
前記疑似頭髪カバーに前記ギャザーを設けて、該疑似頭髪カバーを頭部の膨らみに沿った形状となるので、着用時のフィット感をもたらし、容易に脱げることがなく、安心して着用できる。
【００２０】
請求項４に係る考案では、
前記疑似頭髪カバーに前記ポケット部を設けてヘアバンドの脱着が行えるようにすることで、頭部の大きさ又は好みに応じたヘアバンドを適宜使用することができる。
【００２１】
請求項５に係る考案では、
前記パッドの内部の前記詰物を交換可能にして、任意の詰物を適用できるようにしているので、好みに応じてボリュームや通気性、また柔らかさ等を変更できる。
【００２２】
請求項６に係る考案では、前記パッドの前記詰物として、寒い時期は保温性が高い綿を、暑い時期は通気性の高いメッシュ材を適宜使用して、常時快適な使用感を維持することができる。
【考案を実施するための最良の形態】
【００２３】
次に、本考案の実施の形態を説明する。
図１及び図２に示すように、本考案の簡易カツラ（1）は、ヘアバンド（2）と、該ヘアバンド（2）の周縁に連結する三角形状の疑似頭髪カバー（3）と、該疑似頭髪カバー（3）の内側に設けられたパッド（4）とから主に構成している。
【００２４】
前記三角形状の疑似頭髪カバー（3）は、図４に示すように二つの紐部（32）（32）を縫成している。すなわち、図７の（a）（b）に示すように、疑似頭髪カバー（3）の三角形状における三つの角部（31）（31）（31）のうち、左右二つの角部（31）（31）の夫々において、隣り合う辺と辺とを縫い合わせてこれら二つの紐部（32）（32）を縫成しており、図３に示す如くこれら紐部（32）（32）を後頭部で結んでしっかり固定できるようにしている。
【００２５】
さらに、図８（a）に示すように、前記疑似頭髪カバー（3）は三つの前記角部（31）（31）（31）のうち、左右にある前記紐部（32）（32）を縫成しない一つの角部（31）を挟む二辺を互いに近づける方向に縫い縮めたギャザー（33）を設けている。この前記ギャザー（33）を設けることで、前記疑似頭髪カバー（3）が頭部の膨らみに沿った形状となり、着用時のフィット感をもたらす。
【００２６】
前記ヘアバンド（2）は、頭部の様々な大きさに対応すると共に、頭部に固定可能な弾性のあるＣ字状に湾曲形成した従来のものを適用できる。これに弾性を持たせるため、軟質樹脂などが主な材質として使用されることが多いが、これに限らず、他にも弾性金属や木などで形成したものであってもよい。
【００２７】
前記ヘアバンド（2）の周縁に前記疑似頭髪カバー（3）が連結するように構成するため、図８（b）に示すように疑似頭髪カバー（3）は前記紐部（32）（32）の間における縁において、ヘアバンド（2）を脱着可能にするためのポケット部（34）を設けている。このように、ヘアバンド（2）を脱着式にすることにより、頭部の大きさ又は好みに応じたものを適宜使用することができる。
【００２８】
前記疑似頭髪カバー（3）は、頭部の体裁をカモフラージュするべく、頭髪色は、黒褐色や茶褐色、また銀灰色など、頭髪に見える色彩を有する布で形成されているが、着用者の好みや年齢などに応じたものを適宜採用できる。
【００２９】
さらに、前記擬似頭髪カバー(3)の表面において、図示しないがバンダナのように模様を付けたり、飾り物を設けたりするなどの装飾を施してもよい。尚、布の材質については、織物や編み物、またレース、フェルトなどのあらゆるものを適用でき、伸縮性や通気性、また着心地などを考慮に入れて適宜選択できる。
【００３０】
前記疑似頭髪カバー（3）の内側に設けられた前記パッド（4）は、主に頭髪のボリュームを擬似的に出すためのものであり、図５に示すように、袋体（41）と、その内部に詰める詰物（42）とからなっている。
【００３１】
前記詰物（42）として、可能な限り軽量で且つボリュームを出すことのできる素材を採用できるが、例えば綿やメッシュ材、またスポンジなどがあげられる。他にも空気を充填してもよい。また、適宜これらの詰物（42）を交換することができるよう、前記袋体（41）に開口部（411）を設けてもよい。このようにして、詰物（42）を好みに応じてボリュームや通気性、また柔らかさ等を変更できる。
【００３２】
前記詰物（42）の交換について、例えば冬等の寒い時期は保温性が高い綿を、夏等の暑い時期は通気性の高いメッシュ材を適用でき、これにより常時快適な使用感を維持することができる。
【００３３】
前述したように、前記疑似頭髪カバー（3）の内側に前記パッド（4）が設けられているから、頭髪付近の疑似頭髪カバー（3）の外観がボリュームアップとなり、パッド（4）が設けられていなかった従来の被り物に比べて、頭髪密度が少ない人であっても、頭髪の自然なボリューム感を擬似的に醸し出すことができる。  
【００３４】
このパッド（4）は、その前端のみが前記ヘアバンド（2）の近傍に連結縫成されている。これにより、図６に示すように、該パッド（4）の形状を前記疑似頭髪カバー（3）の内側で変形したり、また折り畳んだりすることができ、疑似頭髪カバー（3）の外観のボリュームや形状を任意に変更することができる。又、パッド(4)の前端のみをヘアバンド(2)の近傍に連結しているから、パッド(4)の全周を布製の疑似頭髪カバーに縫製する場合のように擬似頭髪カバー(3)の立体形状がパッド(4)で拘束されて不自然になることがない。従って、疑似頭髪カバーが自由に波打った立体形状になって自然感が担保できる。尚、図６（a）はパッド（4）を平坦にした状態を、また図６（b）はパッド（4）を折り畳んだ状態を夫々示している。特に、図６（b）の場合、着用者の前頭部のボリュームを図６（a）の場合よりもさらにアップすることができる。但し、前記前端以外にも、パッド(4)の周縁の適宜箇所を擬似頭髪カバー(3)に縫製してもよい。
【００３５】
次に、本考案の簡易カツラ（1）の製作工程について、以下に説明する。
まず、前記疑似頭髪カバー（3）を、図７（a）に示すように正方形の布を対角線で裁断して、直角三角形の形状とする。一例として、一辺が７５センチほどの布を使用できる。
【００３６】
次に、図７（b）に示すように、前記疑似頭髪カバー（3）の三つの前記角部（31）（31）（31）のうち二つの角部（31）（31）の夫々において、隣り合う辺と辺とを縫い合わせて二つの紐部（32）（32）を縫成する。
【００３７】
さらに、図８（a）に示すように、前記疑似頭髪カバー（3）の三つの前記角部（31）（31）（31）のうち、前記紐部（32）（32）を縫成しない一つの角部（31）に前記ギャザー（33）を設ける。
【００３８】
次いで、図８（b）に示すように、前記パッド（4）を前記ヘアバンド（2）の前記ポケット部（34）付近に縫いつけ、最後に、ポケット部（34）に前記ヘアバンド（2）を挿入して完成となる。
【００３９】
このように、前記疑似頭髪カバー（3）は、正方形の布から対角線で裁断してその材料を得るので、切り捨てる部分がなく、材料を有効に活用できる。また、前記ヘアバンド（2）及び前記パッド（4）の詰物（42）は、従来市販のものを適用できるので製作し易い。
【００４０】
上記のように、本考案の簡易カツラ（1）は、前記ヘアバンド（2）と前記疑似頭髪カバー（3）から構成して、即座の着脱を可能としているだけでなく、疑似頭髪カバー（3）を頭髪に見える色彩を有する布とすると共に、該疑似頭髪カバー（3）の内側に前記パッド（4）を設けて、頭髪の自然なボリューム感を疑似的に醸し出すことができる。そのため、頭髪密度が少ない人等、頭髪のボリュームが気なる外観上の問題を軽減でき、しかも、頭部の大きさにおける個人差にかかわらず、二つの前記紐部（32）（32）によりしっかりと頭部に固定できるので、容易に離脱せず、安心して着用することができる。よって、本考案の効果は絶大である。
【図面の簡単な説明】
【００４１】
【図１】本考案の実施形態を示す前方から見た斜視図
【図２】本考案の前方から見た着用状態図
【図３】本考案の後方から見た着用状態図
【図４】本考案の紐部を解いた状態で後方から見た斜視図
【図５】本考案の疑似頭髪カバーに連結しているパッドを外部に取り出した状態で前方から見た斜視図
【図６】本考案のパッドを疑似頭髪カバーの内側で変形させた形態を示す側面から見た説明図
【図７】製作工程を示す説明図
【図８】製作工程を示す説明図
【図９】従来例の説明図
【符号の説明】
【００４２】
（1）・・・・簡易カツラ
（2）・・・・ヘアバンド
（3）・・・・疑似頭髪カバー
（31）・・・・角部
（32）・・・・紐部
（33）・・・・ギャザー
（34）・・・・ポケット部
（4）・・・・パッド
（41）・・・・袋体
（411）・・・・開口部
（42）・・・・詰物
【図１】
0003146513.tif 000003
【図２】
0003146513.tif 000004
【図３】
0003146513.tif 000005
【図４】
0003146513.tif 000006
【図５】
0003146513.tif 000007
【図６】
0003146513.tif 000008
【図７】
0003146513.tif 000009
【図８】
0003146513.tif 000010
【図９】
0003146513.tif 000011